(57)【要約】【課題】雨によって座面が濡れたり、落書きや傷などが付けられたりした場合であっても、常にきれいな座面で使用することができるようにした椅子を提供することを目的とする。【解決手段】公園などのように屋外に設置される椅子１において、人間が着座する座部２と、座部２を下方から支持する椅子本体部４とを備える。そして、座部２の表裏に設けられた第一座面２１と第二座面２２をそれぞれ着座可能に構成し、ユニバーサルジョイント５を介して座部２を表裏反転できるようにする。このユニバーサルジョイント５は、座部２の前方のスリット２３内に設けられ、座部２を前方に引き起こして表裏反転させた場合であっても、座部２の前方の円形部２４が椅子本体部４に当たらないようにする。【選択図】図４
2010063505.tif 000002
【特許請求の範囲】
【請求項１】
椅子本体部と、当該椅子本体部に支持される座部とを備えてなる椅子において、
前記座部の表面側と裏面側の座面をそれぞれ着座可能に構成し、
当該座部を椅子本体部から持ち上げた状態で表面側の座面を裏面側の座面に反転させる反転機構を設けるとともに、当該反転機構を椅子本体部の一部に取り付け、前記表面側の座面を反転させて前記椅子本体部上に支持させるようにしたことを特徴とする椅子。
【請求項２】
前記反転機構が、大腿部の位置する前端側を中心に座部を起立傾倒させる起立回転部と、当該起立回転部で起立傾倒させた座部の座面を表裏反転させる表裏反転部とを備えて構成されるものである請求項１に記載の椅子。
【請求項３】
前記反転機構が、座面を水平に保った状態で上方に持ち上げるスライドレールと、当該スライドレール上でスライドする留め具を中心に座面を表裏反転させる機構で構成されたものである請求項１に記載の椅子。
【請求項４】
前記反転機構が、臀部が位置する後端側を中心に座部を起立傾倒させる起立回転部と、当該起立回転部で起立傾倒された座部の座面を表裏反転させる表裏反転部とを備えて構成されるものである請求項１に記載の椅子。
【請求項５】
請求項４に記載の椅子において、起立傾倒された座部を前端側へスライドさせた状態で表裏反転させるようにした請求項４に記載の椅子。
【発明の詳細な説明】
【技術分野】
【０００１】
本発明は、椅子の構造に関するものであり、好適には、屋外などで使用することが可能な椅子に関するものである。
【背景技術】
【０００２】
一般に公園や駅、バス停などのような多くの人が集まるような場所では、多く人が座れるようにした椅子が設置されている。このような椅子は、設置されている場所が外部環境であることから風雨に晒されることが多く、その構造としても、その環境に耐えられるような合成樹脂や金属、石などで構成されることが多い。
【０００３】
しかしながら、このような素材を用いて座部を構成したとしても、雨などが降った後においては、座面が濡れてしまい着座することができない。このため、利用者はその雨水を拭き取って着座しなければならなくなる。
【０００４】
そこで、雨が降るような場合であっても、座面が雨で濡れることがないようにした椅子が提案されている。
【０００５】
例えば、特開平９−１８７３４６号公報には、座面側に背もたれ部を倒すことによって座面を覆うことができるようにした椅子が提案されている。このような椅子によれば、背もたれ部を座面側へ倒すことによって座面を覆うことができるため、座面が雨水で濡れたり、ごみや埃などによって座面が汚れたりすることがなくなる。また、背もたれ部についても、雨水で濡れたりすることがなくなる。
【特許文献１】特開平９−１８７３４５号公報
【発明の開示】
【発明が解決しようとする課題】
【０００６】
しかしながら、このような構造の椅子では、雨が降る前に誰かが背もたれ部を座面側へ倒さなければならないため、背もたれ部を倒す前に雨が降ってしまった場合は、従来と同様に、座面の水滴を拭き取らなければ座ることができない。また、一般に、このような椅子は、座面に落書きや傷などが付けられてしまうと座面が汚れてしまうため、利用者に使用の抵抗感を与えてしまうことになる。
【０００７】
そこで、本発明は、雨によって座面が濡れたり、落書きや傷などが付けられたりした場合であっても、常にきれいな座面で使用することができるようにした椅子を提供することを目的とする。
【課題を解決するための手段】
【０００８】
すなわち、本発明は上記課題を解決するために、椅子本体部と、当該椅子本体部に支持される座部とを備えてなる椅子において、前記座部の表面側と裏面側の座面をそれぞれ着座可能に構成し、当該座部を椅子本体部から持ち上げた状態で表面側の座面を裏面側の座面に反転させる反転機構を設けるとともに、当該反転機構を椅子本体部の一部に取り付け、前記表面側の座面を反転させて前記椅子本体部上に支持させるようにしたものである。
【０００９】
このようにすれば、座面を表裏反転して使用することができるため、一方の座面が雨で濡れた場合であっても、裏面側の座面を使用することによって、常にきれいな座面で着座することができるようになる。また、座部が反転機構を介して椅子本体部に固定されているため、強い風や悪戯などによって座部が外されてしまうようなことがなくなる。
【００１０】
また、このような反転機構を設ける場合、大腿部の位置する前端側を中心に座部を起立傾倒させる起立回転部と、当該起立回転部で起立傾倒された座部の座面を表裏反転させる表裏反転部とを備えるようにする。
【００１１】
このようにすれば、仮に背もたれ部が設けられているような状態であっても、座部を前端側に起こすことができるため、表裏反転するためのスペースが広くなり、簡単に座部を表裏反転させることができる。
【００１２】
さらに、別の発明では、座面を水平に保った状態で上方に持ち上げるスライドレールと、当該スライドレール上でスライドする留め具を中心に座面を表裏反転させる機構で構成することもできる。
【００１３】
このようにした場合であっても、座部を反転させる際に、表裏反転しやすい位置まで座部を持ち上げることができ、そこで表裏反転させることができる。
【００１４】
一方、反転機構を、臀部が位置する後端側を中心に座部を起立傾倒させる起立回転部と、当該起立回転部で起立傾倒された座部の座面を表裏反転させる表裏反転部とを備えて構成することもできる。
【００１５】
また、この際、起立傾倒された座部を前端側へスライドさせた状態で表裏反転させるようにすることもできる。
【００１６】
このようにすれば、背もたれ部が設けられている状況で座部を表裏反転させる場合であっても、座部を表裏反転させられる位置まで前方にスライドさせて反転させることができるようになる。
【発明の効果】
【００１７】
本発明によれば、座部の表面側と裏面側の座面をそれぞれ着座可能に構成し、当該座部を椅子本体部から持ち上げた状態で表面側の座面を裏面側の座面に反転させる反転機構を設けるとともに、当該反転機構を椅子本体部の一部に取り付け、前記表面側の座面を反転させて前記椅子本体部上に支持させるようにしたので、一方の座面が雨で濡れた場合であっても、裏面側の座面を使用することによって、常にきれいな座面で着座することができる。また、座部が反転機構を介して椅子本体部に固定されているため、強い風や悪戯などによって座部が外されてしまうようなことがなくなる。
【発明を実施するための最良の形態】
【００１８】
以下、本発明の一実施の形態について図面を参照して説明する。図１および図２は、第一の実施の形態における椅子１の側面概略図と正面概略図を示したものであり、図３は、その表裏反転機構の拡大図を示したものである。また、図４は、その表裏反転機構を用いて座部２を表裏反転させる場合の動作例を示したものである。
【００１９】
本実施の形態における椅子１は、公園などのような屋外に設置されるもので、図１や図２に示すように、人間が着座する座部２と、この座部２を支持する椅子本体部４と、この椅子本体部４上で座部２を１８０度表裏反転させるためのユニバーサルジョイント５とを備えてなり、座部２の第一座面２１が雨水や落書きなどで汚れた場合であっても、表裏反転機構であるユニバーサルジョイント５を介して座面を表裏反転させ、その裏面側の第二座面２２を用いて着座できるようにしたものである。以下、第一の実施の形態における椅子１の構造について詳細に説明する。
【００２０】
この座部２は、表裏対称に構成されるものであって、表面や裏面に水滴などが付着した場合であってもその水滴を簡単に除去できるようにした合成樹脂などによって構成される。この座部２における臀部位置側を後端部とし、大腿部が位置する側を前端部とした場合に、この座部２の前端側の縁部分には、半円形の円形部２４が設けられ、この円形部２４の正面から見た場合における中央部分に、図２に示すようなスリット２３を設けてユニバーサルジョイント５を取り付けるようにしている。
【００２１】
このユニバーサルジョイント５は、図２や図３に示すように、鉛直方向をＺ方向、図３の紙面の前後方向をＸ方向とした場合に、Ｘ軸を中心に座部２を起立回転させる第一軸５１と、起立した座部２をＺ軸を中心に１８０度回転させる第二軸５２とを備え、これら第一軸５１と第二軸５２を中心に座面を表裏反転させるようにしている。この第一軸５１の回転中心は、座部２の円形部２４における中心線上に設けられるとともに、第二軸５２を軸支する第二部材５３における第二座面２２から椅子本体部４までの距離（すなわち、図３における距離Ｄ）を、円形部２４の半径Ｒよりも長く設定している。そして、このような位置に第一軸５１を設けるとともに第二部材５３の長さを半径Ｒよりも長くすることにより、座部２を起立させた場合であっても、前端の円形部２４が椅子本体部４に接触しないようにする。また、ユニバーサルジョイント５をスリット２３の内部に隠し込むように設けることにより、着座時における人間の脚をユニバーサルジョイント５に接触させないようにしている。
【００２２】
椅子本体部４は、脚部とこれらの脚部を連結する金属製の支持フレーム３を設けて構成されるもので、その支持フレーム３上に座部２を載置できるようにしている。この水平方向の支持フレーム３には、軟質のクッション材３１が巻き付けられており、その上に座部２を載せた場合であっても、金属フレームとの接触による異音をなくすとともに、着座時におけるクッション性を持たせるようにしている。
【００２３】
座部２の後端側（臀部側）には、着座した場合に座部２が起立傾倒しないようにするための固定部６２が設けられている。この固定部６２は、起立フレーム６１の前面側に凹部６２ａを設け、この凹部６２ａに座部２の後端部２５を嵌め込ませることによって座部２を仮固定する。このとき、この凹部６２ａをゴムなどの弾性体によって構成してもよく、あるいは、凹部６２ａを前後に進退させることによって座部２の固定と解除を行えるようにしてもよい。ここでは、この凹部６２ａをゴムなどの弾性体で構成して座部２を固定できるようにしている。
【００２４】
また、背もたれ部６は、鉛直方向に設けられた起立フレーム６１と、その起立フレーム６１の前方に取り付けられた背板６３とを設けて構成される。この背板６３については、クッション性を持たせるための厚みなどがあると、座部２を起立させる際に座部２の後端部２５が背板６３に当たってしまい、起立させることができなくなる。このため、背板６３については、座部２の起立時に座部２の後端部２５が当たらないように比較的薄くしておくことが好ましい。
【００２５】
次に、このように構成された椅子１の使用方法について、図４の動作例を用いて説明する。
【００２６】
まず、座部２の第一座面２１を使用している状態（第一の状態、ずなわち、図１の状態）から裏面側の第二座面２２を使用する状態（第二の状態）に切り替える場合の動作例について説明する。
【００２７】
第一の状態で座部２の後端部２５を手で持ち上げると、図４（ａ）に示すように、座部２の後端部２５を凹部６２ａから引き離すことができる。このとき、凹部６２ａがゴムなどの弾性体で構成されているため、座部２の後端を力強く持ち上げることによって、座部２を凹部６２ａから引き離すことができる。このように座部２を引き離すと、座部２が、前方のユニバーサルジョイント５の第一軸５１を中心に回転しながら起立する。このとき、その第一軸５１が円形部２４の中心軸上に設けられており、かつ、第二部材５３における第二座面２２から椅子本体部４までの距離Ｄが円形部２４の半径Ｒよりも長く設定されているため、座部２の前端部が椅子本体部４の支持フレーム３などに接触することなく回転させることができる。そして、座部２を鉛直な状態に起立させた後は、Ｚ軸を中心に座部２を１８０度回転させて表裏反転させる（図４（ｂ））。そして、逆の作業を行うように、第二座面２２を上面側にした状態で座部２を椅子本体部４側に戻し、座部２の後端部２５を凹部６２ａに嵌め合わせて、着座した場合でも座部２ががたつかないようにする（図４（ｃ））。
【００２８】
このように上記実施の形態では、ユニバーサルジョイント５を設けて座面を表裏反転させるようにしたので、常にきれいな座面を使用して着座することができるようになる。しかも、このユニバーサルジョイント５を椅子本体部４の前端側に固着するようにしているため、強い風や悪戯などによって座部２が外されてしまうようなことがなくなり、しかも、回転時に背もたれ部６が邪魔になってしまうようなこともなくなる。
【００２９】
＜第二の実施形態＞
次に、本発明の第二の実施形態について説明する。上記第一の実施の形態では、座部２の前端側を中心に起立傾倒させて表裏反転させるようにしたが、第二の実施の形態では、図５や図６に示すように、座部２を水平な状態で持ち上げ、支持フレーム３の上方で表裏反転させるようにしている。以下、第二の実施形態について図面を参照して説明する。なお、第二の実施形態において第一の実施形態と同じ符号を付したものは、第一の実施形態と同じ構成を有しているものとする。
【００３０】
第二の実施形態における椅子１は、図５に示すように、背もたれ部６の背板６３の中央を縦方向に分割し、そこに上下方向に沿ったスライドレール５５を設けている。このスライドレール５５を取り付けるとき、背もたれ時に背中に当たってしまうことを防止するため、起立フレーム６１などにスライドレール５５を取り付け、背板６３の表面からスライドレール５５が突出しないようにし、座部２の後端部２５に、このスライドレール５５に沿ってスライドさせるためのスライドピン５４を取り付ける。このスライドピン５４は、座部２を表裏反転させることができるような円形状をなしており、座部２を支持フレーム３の上方に持ち上げた場合に、座部２を１８０度表裏反転させることができるようになっている。
【００３１】
そして、このように構成された椅子１の座面を入れ替える場合、図６（ａ）に示すように、座部２を水平な状態でスライドレール５５に沿って持ち上げる。そして、所定の高さ位置に座部２を持ち上げた状態で、座部２を１８０度表裏反転させ（図６（ｂ））、座面を表裏反転させた状態で、座部２を支持フレーム３上に下降させて着座できるようにする。
【００３２】
このように構成すれば、背もたれ部６が設けられている場合であっても、背もたれ部６に接触させることなく座部２を表裏反転させることができる。また、着座した場合には、座部２の上から荷重がかかるため、着座時に座部２の一部に荷重がかかって座部２が起立傾倒してしまうようなことがなくなる。
【００３３】
＜第三の実施形態＞
【００３４】
次に、第三の実施形態について図７や図８を用いて説明する。なお、第三の実施形態において第一の実施形態と同じ符号を付したものは、第一の実施形態と同じ構成を有しているものとする。
【００３５】
第三の実施形態では、背もたれ部６を設けた椅子において、表裏反転機構を座部２の後端部２５側に設けるようにしている。
【００３６】
図７において、符号５６は、座部２の後端部２５側を中心として座部２の前端側を起立させるようにしたヒンジ機構である。このヒンジ機構５６は、第一の実施形態と同様に椅子本体部４をなす支持フレーム３に固着されており、座部２が椅子本体部４から外れないようにする一方、このヒンジ機構５６には、前方へ突出する棒状のシャフト５７が取り付けられている。このシャフト５７は、座部２の表面と裏面の間にスライド可能に挿入されており、その軸を中心として座部２を表裏反転させることにより、座面を入れ替えられるようにしている。このシャフト５７は、座部２に通す際に、シャフト５７から座部２が抜けないようにしている。
【００３７】
このような椅子１における座部２を表裏反転させる場合、図８（ａ）に示すように、まず、座部２の先端側を持ち上げて約４５度起立させる。そして、この状態で、座部２をシャフト５７に沿って前方側へ引き出し、所定の位置で座部２をシャフト５７を中心に表裏反転させる（図８（ｂ））。そして、表裏反転させた後、シャフト５７に沿って座部２を押し込み、ヒンジ機構５６を介して座部２を支持フレーム３上に載せる。
【００３８】
このようにした場合であっても、後端部２５側を中心に座部２を起立させて座面を入れ替えることができるようになる。
【００３９】
＜第四の実施の形態＞
次に、第四の実施の形態について図９から図１１を参照して説明する。第四の実施の形態における椅子１は、座部２を下方座部２ｄと上方座部２ｕに分け、下方座部２ｄの上に上方座部２ｕを載せるとともに、上方座部２ｕを側面側から回転可能に支持するコの字状の補助枠５８を取り付けて上方座部２ｕを表裏反転させ、また、その補助枠５８を起立させた状態で下方座部２ｄも使用できるようにしたものである。
【００４０】
この実施の形態における補助枠５８は、背もたれ部６側にヒンジ機構５６ｂを設けて取り付けられ、これによってそのヒンジ機構５６ｂを中心に起立させられるようにするとともに、前端部分を上方座部２ｕの側面縦長方向の中心部分まで延設するように設けている。そして、この前端部分を上方座部２ｕの側面に回転軸５９を介して取り付け、この回転軸５９を介して上方座部２ｕを表裏反転できるようにしている（図１１（ｂ））。
【００４１】
一方、下方座部２ｄは、この上方座部２ｕを下から支持できるようにするとともに、上方座部２ｕを起立させた際にも座面として使用できるようにしたもので、好ましくはメッシュ状の座面を設けて構成される。このようにメッシュ状もしくはベルト状にすることにより、上方座部２ｕを載せている状態では、裏面側の通気性をよくして裏面を乾燥させることができるとともに、下方座部２ｄを使用する場合においても、着座時における通気性をよくすることができるようになる。
【００４２】
このように第四の実施の形態によれば、上方座部２ｕの側面部分を覆うように補助枠５８を設け、この補助枠５８によって上方座部２ｕの側面中心部分を中心に表裏反転させるようにしたので、側面を２点支持して強度を保つことができ、１点支持の場合に比べて壊れやすくなるようなことがなくなる。しかも、下方座部２ｄも使用できるようにしたので、使用できる座面が多くなり、着座時における多様性を確保することができるようになる。
【００４３】
なお、本発明は上記実施の形態に限定されることなく、種々の態様で実施することができる。
【００４４】
例えば、上記実施の形態では、背もたれ部６を設けるようにしているが、公園のベンチなどとして使用する場合は、背もたれ部６を設けないようにすることもできる。
【００４５】
また、第一の実施形態では、起立フレーム６１に凹部６２ａを取り付けて座部２を固定するようにしているが、座部２を固定できるような状態できれば、どのような固定部を用いてもよい。このような固定部の一例としては、マグネットなどを用い、このマグネットを座部２の合成樹脂内に取り付けて金属フレームに磁着させるようにすることもできる。
【００４６】
さらに、上記実施の形態では、支持フレーム３にユニバーサルジョイント５などを取り付けるようにしているが、支持フレーム３だけでなく、椅子本体部４に表裏反転機構を取り付けるようにしてもよい。
【図面の簡単な説明】
【００４７】
【図１】本発明の一実施の形態を示す椅子の側面概略図
【図２】同形態における椅子の正面概略図
【図３】同形態における表裏反転機構を示す図
【図４】同形態における座部を表裏反転させる状態を示す図
【図５】第二の実施の形態における椅子を示す正面概略図
【図６】第二の実施の形態における座部を表裏反転させる状態を示す図
【図７】第三の実施の形態における椅子を示す正面概略図
【図８】第三の実施の形態における座部を表裏反転させる状態を示す図
【図９】第四の実施の形態における椅子を示す側面概略図
【図１０】第四の実施の形態における椅子を示す平面概略図
【図１１】第四の実施の形態における座部を表裏反転させる状態を示す図
【符号の説明】
【００４８】
１・・・椅子
２・・・座部（２ｕ・・・上方座部、２ｄ・・・下方座部）
２１・・・第一座面
２２・・・第二座面
２３・・・スリット
２４・・・円形部
２５・・・後端部
３・・・支持フレーム
３１・・・クッション材
４・・・椅子本体部
５・・・表裏反転機構（ユニバーサルジョイント）
５１・・・第一軸
５２・・・第二軸
５３・・・第二部材
５４・・・スライドピン
５５・・・スライドレール
５６、５６ｂ・・・ヒンジ機構
５７・・・シャフト
５８・・・補助枠
５９・・・回転軸
６・・・背もたれ部
６１・・・起立フレーム
６２・・・凹部
６３・・・背板
【図１】
2010063505.tif 000003
【図２】
2010063505.tif 000004
【図３】
2010063505.tif 000005
【図４】
2010063505.tif 000006
【図５】
2010063505.tif 000007
【図６】
2010063505.tif 000008
【図７】
2010063505.tif 000009
【図８】
2010063505.tif 000010
【図９】
2010063505.tif 000011
【図１０】
2010063505.tif 000012
【図１１】
2010063505.tif 000013